(57)【要約】  射出成形装置は、射出機と、成形型と、高周波発振装置と、を備え、射出機は、誘電発熱材が混入されてなる樹脂材料を、温調により流動性をもたせて射出する。成形型は、樹脂材料の流動の経路であるキャビティを有するとともに、それぞれがキャビティに面し、樹脂材料の流動方向と交差する方向に樹脂材料を挟む状態で設けられた一対の電極を有する。高周波発振装置は、一対の電極の間に高周波交流電圧を印加する。
2019187071.tif 000002
【特許請求の範囲】
【請求項１】
誘電発熱材が混入されてなる樹脂材料を、温調により流動性をもたせて射出する射出機と、
前記樹脂材料の流動の経路であるキャビティを有するとともに、それぞれが前記キャビティに面し、前記流動の方向と交差する方向に前記樹脂材料を挟む状態で設けられた一対の電極を有する成形型と、
前記一対の電極に対して高周波交流電圧を印加する高周波発振装置と、
を備える、
射出成形装置。
【請求項２】
請求項１に記載の射出成形装置であって、
前記成形型は、それぞれが型本体を有し、且つ、互いに嵌合する固定型および可動型を有し、
前記一対の電極のうちの一方の電極は、前記固定型の前記型本体に対して絶縁体を挟んで取り付けられ、前記一対の電極のうちの他方の電極は、前記可動型の前記型本体に対して絶縁体を挟んで取り付けられている、
射出成形装置。
【請求項３】
請求項１または請求項２に記載の射出成形装置であって、
前記一対の電極の少なくとも一方には、冷却媒体が流通する冷却通路を有し、
前記冷却通路に対して冷却媒体を供給する冷却媒体供給装置を更に備える、
射出成形装置。
【請求項４】
請求項１から請求項３の何れかに記載の射出成形装置であって、
前記一対の電極は、前記キャビティに対して前記流動の方向における上流端から下流端まで設けられている、
射出成形装置。
【請求項５】
請求項１から請求項４の何れかに記載の射出成形装置であって、
前記射出機からの前記樹脂材料の射出と、前記高周波発振装置による前記高周波交流電圧の印加と、を制御する制御部を更に備え、
前記制御部は、前記キャビティの全体に前記樹脂材料が充填された後、所定時間だけ前記キャビティ内に射出圧力を加え続けるように前記射出機を制御する、
射出成形装置。
【請求項６】
誘電発熱材が混入されてなる樹脂材料を、温調により流動性を持たせて射出する射出ステップと、
前記射出ステップで射出された前記樹脂材料を、成形型内に形成されたキャビティ内を流動させる流動ステップと、
前記キャビティ内を流動する前記樹脂材料に対して、高周波交流電圧を印加する高周波交流電圧印加ステップと、
を備える、
射出成形方法。
【請求項７】
請求項６に記載の射出成形方法であって、
前記高周波交流電圧印加ステップでは、前記キャビティにおける前記流動の方向における上流端から下流端まで流動する前記樹脂材料に対して、前記高周波交流電圧を印加する、
射出成形方法。
【請求項８】
請求項６または請求項７に記載の射出成形方法であって、
前記射出ステップで前記キャビティの全体に前記樹脂材料が充填された後、所定時間だけ前記キャビティ内に射出圧力を加え続ける保圧ステップを、更に備える、
射出成形方法。
【請求項９】
請求項８に記載の射出成形方法であって、
前記保圧ステップの実行後に、前記キャビティに充填された前記樹脂材料を、前記成形型内に設けられた冷却通路への冷却媒体の供給により冷却する冷却ステップを、更に備える、
射出成形方法。
【請求項１０】
請求項１から請求項５の何れかの射出成形装置に投入する射出成形用樹脂材料において、
ポリオレフィン系樹脂、または、ポリアミド系樹脂からなる基材と、
前記高周波交流電圧の印加により陽イオンの移動が可能な誘電発熱材と、
を有する、
射出成形用樹脂材料。
【請求項１１】
請求項１０に記載の射出成形用樹脂材料であって、
前記基材は、ＨＩＰＳ、ＰＰ、ＬＤＰＥ、ＨＤＰＥ、ｍ−ＰＰＥ、およびＰＭＭＡの中から選択されるポリオレフィン系樹脂であり、
前記誘電発熱材は、互いに重合したポリオレフィン系モノマーとポリエーテルモノマーとを有する樹脂材料であり、前記ポリエーテル部分に陽イオンを保持してなる、
射出成形用樹脂材料。
【請求項１２】
請求項１０に記載の射出成形用樹脂材料であって、
前記基材は、ＡＢＳ、ＰＣ／ＡＢＳ、ＰＣ、ＰＯＭ、ＰＡ６、ＰＡ１２、およびＰＡ６６の中から選択されるポリアミド系樹脂であり、
前記誘電発熱材は、互いに重合したポリアミド系モノマーとポリエーテルモノマーとを有する樹脂材料であり、前記ポリエーテル部分に陽イオンを保持してなる、
射出成形用樹脂材料。
【発明の詳細な説明】
【技術分野】
【０００１】
本開示は、射出成形装置、射出成形方法、および射出成形用樹脂材料に関する。
【背景技術】
【０００２】
射出成形装置は、流動性をもたせた樹脂材料を成形型内に射出し、充填した樹脂材料を固化させることにより樹脂製品を製造する装置である。このような射出成形装置は、従来から広く用いられている。【０００３】
例えば、特許文献１には、高周波発振器を有する樹脂溶融装置を備え、当該樹脂溶融装置にて流動性をもたせた樹脂材料を成形型内に射出し、成形型内で樹脂の温度を低下させることで樹脂製品を製造する射出成形装置が開示されている。【０００４】
なお、特許文献１に開示の樹脂溶融装置では、成形型に繋がるノズルに対して、樹脂の流れ方向の直前の部分となる絞り部の樹脂材料だけを加熱溶融することとしている。【０００５】
また、特許文献２には、成形型に対してヒータを取り付け、成形型内に射出された樹脂材料の流動性を確保する構成が開示されている。これにより、成形型内における樹脂材料の流動性を確保することができ、樹脂製品の製品品質を優れたものとすることができる。
【先行技術文献】
【特許文献】
【０００６】
【特許文献１】特開２０１４−１１３６９９号公報
【特許文献２】特開２０００−１２７１７５号公報
【発明の概要】
【０００７】
しかしながら、上記特許文献２に開示の技術では、成形型内に充填された樹脂材料を固化させるために成形型全体を加熱・冷却する必要があり、タクトタイムが長くなり、またエネルギ効率が低い。よって、上記特許文献２に開示の技術では、生産効率の観点から改善の余地がある。
【０００８】
本開示は、上記のような問題の解決を図ろうとなされたものであって、成形型内における樹脂材料の高い流動性を確保することで高品質な樹脂製品を製造することができるとともに、生産コストの低減を図ることができる射出成形装置、射出成形方法、および射出成形用樹脂材料を提供することを目的とする。
【０００９】
本開示の一態様に係る射出成形装置は、誘電発熱材が混入されてなる樹脂材料を、温調により流動性をもたせて射出する射出機と、前記樹脂材料の流動の経路であるキャビティを有するとともに、それぞれが前記キャビティに面し、前記流動の方向と交差する方向に前記樹脂材料を挟む状態で設けられた一対の電極を有する成形型と、前記一対の電極に対して高周波交流電圧を印加する高周波発振装置と、を備える。
【図面の簡単な説明】
【００１０】
【図１】実施形態に係る射出成形装置の構成を示す模式図である。
【図２】成形型の構成の一部を示す模式断面図である。
【図３】成形型に形成されたキャビティの構成を示す模式図である。
【図４】樹脂材料の発熱原理を示す模式図である。
【図５】射出成形装置の制御部が実行する高周波電圧および射出圧力の制御形態を示すタイムチャートである。
【図６】射出時における成形型内の樹脂材料の温度と圧力とを示す模式図である。
【図７】保圧時における成形型内の樹脂材料の温度と圧力とを示す模式図である。
【図８】誘電発熱材の化学式である。
【図９Ａ】誘電発熱材における陽イオンの移動前の状態を示す模式図である。
【図９Ｂ】誘電発熱材における陽イオンが移動した後に状態を示す模式図である。
【発明を実施するための形態】
【００１１】
以下では、実施形態について、図面を参酌しながら説明する。なお、以下で説明の形態は、本発明の一態様であって、本発明は、その本質的な構成を除き何ら以下の形態に限定を受けるものではない。
【００１２】
［実施形態］
１．射出成形装置１の構成
本実施形態に係る射出成形装置１の構成について、図１を用い説明する。
【００１３】
図１に示すように、本実施形態に係る射出成形装置１は、成形型１０と、射出ユニット（射出機）２０と、高周波発振ユニット（高周波発振装置）３０と、制御部６０と、を備える。
【００１４】
成形型１０は、可動型１１と固定型１２とを有し、可動型１１と固定型１２との間にキャビティ１０ａが構成されている。可動型１１は、図示を省略する駆動機構により、固定型１２に対して型締めおよび離間が可能となっている。
【００１５】
可動型１１は、金属材料からなる型本体１１１と、型本体１１１に対してキャビティ１０ａに面する状態で設けられた電極１１２と、型本体１１１と電極１１２との間に介挿された絶縁体１１３と、を有する。電極１１２の内部には、冷却液（冷却媒体）が流通する冷却管１１４が埋設されている。
【００１６】
固定型１２は、金属材料からなる型本体１２１と、型本体１２１に対してキャビティ１０ａに面する状態で設けられた電極１２２と、型本体１２１と電極１２２との間に介挿された絶縁体１２３と、を有する。電極１２２の内部には、冷却液（冷却媒体）流通する冷却管１２４が埋設されている。
【００１７】
電極１１２と電極１２２とは、キャビティ１０ａを挟んで対向するように配置されている。そして、可動型１１が固定型１２に対して型締めされた状態においては、電極１１２と電極１２２との間には絶縁体１１３または絶縁体１２３が挟まれるようになっている。
【００１８】
なお、絶縁体１１３および絶縁体１２３のそれぞれは、例えば、ケイ酸系バインダまたはセラミックスからなる。
【００１９】
射出ユニット２０は、シリンダ２１と、スクリュ２２と、射出シリンダ２３と、ノズル２４と、シリンダヒータ２５と、を有する。ノズル２４は、成形型１０のキャビティ１０ａに連通している。シリンダ２１内にホッパー（図示を省略。）から供給された樹脂材料が、シリンダヒータ２５からの熱で流動性が付与され、射出シリンダ２３の駆動によるスクリュ２２の前進によりノズル２４からキャビティ１０ａに射出されるようになっている。
【００２０】
なお、シリンダ２１は、接地されている。
【００２１】
高周波発振ユニット３０は、高周波交流電圧を電極１１２と電極１２２との間に印加するユニットであり、電源３１と、発振器３２と、整合器３３と、給電線３４，３５と、を有する。なお、本実施形態では、高周波発振ユニット３０により電極１１２，１２２に発生する高周波交流電圧の周波数が、一例として、２７ＭＨｚに設定されている。
【００２２】
ここで、給電線３４には、給電経路の途中に漏電遮断弁４１が介挿されており、給電線３５には、給電経路の途中に漏電遮断弁４２が介挿されている。また、給電線３５における漏電遮断弁４２が介挿された箇所よりも電極１１２に近い側の箇所は、接地されている。
【００２３】
制御部６０は、射出シリンダ２３およびシリンダヒータ２５の駆動制御や、高周波発振ユニット３０の制御などを実行する。制御ユニット６０の詳細については図示を省略しているが、例えば、ＣＰＵと、当該ＣＰＵ上で実行される各種のプログラム（ＯＳなどの基本制御プログラムや、ＯＳ上で起動され特定機能を実行する各種のアプリケーションプログラムなどを含む。）と、プログラムや各種のデータを保存するＲＯＭやＲＡＭなどのメモリなどを備えるコンピュータを含み構成されている。
【００２４】
また、射出成形装置１には、冷却管１１４，１２４に対して冷却液（冷却媒体）を循環させるための冷却液循環ユニット（冷却媒体供給装置）５１，５２が接続されている。冷却液循環ユニット５１，５２と可動型１１および固定型１２との間の冷却液循環経路中には、漏電遮断弁４３〜４６が介挿されている。
【００２５】
さらに、射出成形装置１には、電極１１２の温度を検出するための温度センサ７１と、電極１２２の温度を検出するための温度センサ７２と、シリンダ２１内の樹脂材料の温度を検出するための温度センサ７３と、が備えられている。温度センサ７１〜７３は、射出成形装置１の駆動中においては、検出した温度データを制御部６０に逐次送出する。そして、温度データを受信した制御部６０は、当該データを用い、シリンダヒータ２５および高周波発振ユニット３０をフィードバック制御する。
【００２６】
２．キャビティ１０ａ内に導入された樹脂材料７０に対する高周波交流電圧Ｅの印加
キャビティ１０ａ内に導入された樹脂材料７０に対する高周波交流電圧Ｅの印加について、図２を用い説明する。図２は、成形型１０の構成の一部を拡大して示す模式断面図である。
【００２７】
先ず、本実施形態に係る射出成形装置１で用いる樹脂材料７０は、誘電発熱材が混入された樹脂材料である。これについての詳細は、後述する。
【００２８】
電極１１２と電極１２２とは、上述のように、キャビティ１０ａに面するように設けられている。このため、キャビティ１０aに導入され、キャビティ１０ａ内を流動する樹脂材料７０に対しては、矢印で示すように高周波交流電圧Ｅが印加されることとなる。
【００２９】
樹脂材料７０には、誘電発熱材が混入されているので、高周波交流電圧Ｅの印加を受けて発熱する。このため、樹脂材料７０は、高周波交流電圧Ｅが印加されている状態において、キャビティ１０ａ内での流動性が保持されている。
【００３０】
３．キャビティ１０ａの構成
成形型１０に設けられたキャビティ１０ａの構成について、図３を用い説明する。図３は、成形型１０に設けられたキャビティ１０ａの構成を示す模式図である。
【００３１】
図３に示すように、本実施形態に係る射出成形装置１では、成形型１０のキャビティ１０ａの形状を、一例として、流動基点部１０ｂと流動終点部１０ｃとの間に２箇所の曲折部１０ｄ，１０ｅが設けられ、平面視で略Ｕ字形状としている。
【００３２】
射出ユニット２０のノズル２４から射出された樹脂材料７０は、流動基点部１０ｂから曲折部１０ｄ，１０ｅを経由して流動終点部１０ｃまで流動する。
【００３３】
ここで、詳細な図示を省略しているが、成形型１０においては、流動基点部１０ｂから流動終点部１０ｃに至る樹脂材料７０の流動経路の全域に亘って電極１１２，１２２が延設されている。即ち、成形型１０のキャビティ１０ａを流動する樹脂材料７０は、流動基点部１０ｂから流動終点部１０ｃに至るまで高周波交流電圧Ｅが印加できるようになっている。
【００３４】
４．樹脂材料７０への高周波交流電圧Ｅの印加と樹脂材料７０の発熱原理
樹脂材料７０への高周波交流電圧Ｅの印加と樹脂材料７０の発熱原理について、図４を用い説明する。図４は、樹脂材料７０の発熱原理を示す模式図である。
【００３５】
図４に示すように、本実施形態に係る射出成形装置１で用いる樹脂材料７０は、基材７０１に対して誘電発熱材７０２が混入された樹脂材料である。基材７０１の一例としては、ポリオレフィン系樹脂、または、ポリアミド系樹脂の熱可塑性樹脂を採用することができる。
【００３６】
誘電発熱材７０２の一例としては、ポリオレフィン系モノマーまたはポリアミド系モノマーと、ポリエーテルモノマーとが重合した構造を有する樹脂材料を採用することができる。樹脂材料７０の詳細な構造については、後述する。
【００３７】
図４に示すように、樹脂材料７０に対して高周波発振３０により高周波交流電圧Ｅが印加された場合には、樹脂材料７０中を電磁波ＷＲが伝播する。樹脂材料７０中を電磁波ＷＲが伝播した場合には、混入されている誘電発熱材７０２が、電磁波ＷＲによる分子鎖の変形（運動）により発熱し、当該熱が基材７０１に伝達される。
【００３８】
以上のような原理により、キャビティ１０ａ中の樹脂材料７０は高周波交流電圧Ｅの印加により発熱する。
【００３９】
５．射出成形方法
射出成形装置１を用いた射出成形方法について、図５から図７を用い説明する。図５は、射出成形装置１を用いた射出成形において、制御部６０が実行する高周波交流電圧の印加タイミングおよび射出圧力を時間経過毎に示すタイムチャートである。図６は、射出時におけるキャビティ１０ａ内での樹脂材料７０の温度と圧力とを示す特性図であり、図７は、キャビティ１０ａに樹脂材料７０が充填された後の保圧時における樹脂材料７０の温度と圧力を示す特性図である。
【００４０】
図５に示すように、射出成形装置１の電源がＯＮされたタイミングＴ１において、制御部６０は、高周波発振ユニット３０に対して電極１１２，１２２間に高周波交流電圧Ｅ１を印加するよう指令する。
【００４１】
また、制御部６０は、タイミングＴ１において、射出ユニット２０に対して射出圧力ＬＰをＰ１に向けて増圧するように指令する。これにより、射出圧力ＬＰがタイミングＴ２に圧力Ｐ１となるように増圧されてゆく。
【００４２】
なお、図示を省略しているが、射出成形装置１を用いた射出成形時においては、制御部６０はシリンダヒータ２５をＯＮ状態として、シリンダ２１内の樹脂材料７０が流動状態となるように指令する。
【００４３】
次に、キャビティ１０ａ内が樹脂材料７０で満たされたタイミングＴ２以降において、制御部６０は、高周波交流電圧ＥをタイミングＴ１からタイミングＴ２までの間と同じ所定値ＬＥで保持するように高周波発振ユニット３０に指令するとともに、射出ユニット２０に対しては、タイミングＴ３に至るまでの所定時間だけ一定の射出圧力Ｐ２を加えるように指令する。
【００４４】
図５に示すタイミングＴ２からタイミングＴ３に至る期間が保圧期間ということになる。
【００４５】
次に、図６に示すように、タイミングＴ１からタイミングＴ２に至る射出時では、キャビティ１０ａ内における流動基点部Ｐｏｓ１（上記流動基点部１０ｂに相当）から流動終点部Ｐｏｓ２（上記流動終点部１０ｃに相当）までの全域において、樹脂材料７０の温度ＬＴｐは所定値ＬＥの高周波交流電圧Ｅの印加により流動性を有する一定温度Ｔｐ１に保持される。
【００４６】
一方、タイミングＴ１からタイミングＴ２に至る射出時では、キャビティ１０ａ内における樹脂材料７０の圧力ＬＰｒは、流動基点部Ｐｏｓ１で圧力Ｐ３であり、流動終点部Ｐｏｓ２に向けて漸減してゆく。
【００４７】
次に、図７に示すように、タイミングＴ２からタイミングＴ３に至る保圧期間においては、キャビティ１０ａ内における樹脂材料７０の温度ＬＴｐは所定値ＬＥでの高周波交流電圧Ｅの印加が継続されていることから温度Ｔｐ１で保持される。また、タイミングＴ２からタイミングＴ３に至る保圧期間においては、キャビティ１０ａ内における樹脂材料７０の圧力ＬＰｒは、射出ユニット２０の駆動が継続されていることにより、流動基点部Ｐｏｓ１から流動終点部Ｐｏｓ２に至るキャビティ１０ａ内の全域で略一定の圧力Ｐ２となる。
【００４８】
６．樹脂材料７０の構成
上述のように、本実施形態に係る射出成形装置１においては、基材７０１と誘電発熱材７０２とからなる樹脂材料７０を用いることとしている。樹脂材料７０の組成について、図８を用い説明する。図８は、誘電発熱材７０２の化学式である。
【００４９】
先ず、樹脂材料７０としては、次の２種類を想定している。
【００５０】
（１）第１の種類
〈基材７０１〉  ＨＩＰＳ（耐衝撃性ポリスチレン）、ＰＰ（ポリプロピレン）、ＬＤＰＥ（低密度ポリエチレン）、ＨＤＰＥ（高密度ポリエチレン）、ｍ−ＰＰＥ（変性ポリフェニレンエーテル）、ＰＭＭＡ（アクリル）の中から選択されるポリオレフィン系樹脂
〈誘電発熱材７０２〉  図１０に示す化学式において、Ａがポリオレフィン系モノマーであり、Ｂがポリエーテルモノマーである。第１の種類では、ポリオレフィン系モノマーとポリエーテルモノマーとが重合してなる樹脂材料であり、ポリエーテル部分に陽イオンを保持してなる、誘電発熱材７０２を採用する。
【００５１】
（２）第２の種類
〈基材７０１〉  ＡＢＳ（アクリロニトリル・ブタジエン・スチレン共重合合成樹脂）、ＰＣ／ＡＢＳ（ポリカーボネート・アクリロニトリル・ブタジエン・スチレン混合樹脂）、ＰＣ（ポリカーボネート）、ＰＯＭ（ポリアセタール）、ＰＡ６（ポリアミド６）、ＰＡ１２（ポリアミド１２）、ＰＡ６６（ポリアミド６６）の中から選択されるポリアミド系樹脂
〈誘電発熱材７０２〉  図１０に示す化学式において、Ａがポリアミド系モノマーであり、Ｂがポリエーテルモノマーである。第２の種類では、ポリアミド系モノマーとポリエーテルモノマーとが重合してなる樹脂材料であり、ポリエーテル部分に陽イオンを保持してなる、誘電発熱材７０２を採用する。
【００５２】
７．高周波交流電圧Ｅの印加による誘電発熱材７０２の発熱
高周波交流電圧Ｅの印加による樹脂材料７０の発熱メカニズムについて、図９Ａおよび図９Ｂを用い説明する。図９Ａは、高周波交流電圧Ｅの印加を開始した直後における誘電発熱材７０２の状態を示す模式図であり、図９Ｂは、高周波交流電圧Ｅの印加により誘電発熱材７０２の陽イオンＭ＋が移動した後の状態を示す模式図である。
【００５３】
誘電発熱材７０２を含む樹脂材料７０に対して高周波交流電圧Ｅが印加されると、誘電発熱材７０２にも電磁波ＷＲが伝搬され（図４を参照）、図９Ａに示す位置に存在した陽イオンＭ＋が、図９Ｂに示すように移動する。
【００５４】
図９Ａに示す位置から図９Ｂに示す位置に陽イオンＭ＋が移動する際には、誘電発熱材７０２の分子鎖が変形（運動）する。このため、誘電発熱材７０２が発熱し、その熱が基材７０１に伝達される。
【００５５】
本実施形態に係る射出成形装置１の射出成形に用いる樹脂材料７０は、高周波交流電圧Ｅの印加を受けて温度上昇し、流動性が保持される。
【００５６】
［変形例］
上記実施形態では、樹脂材料７０の一例として熱可塑性の樹脂材料を採用することとしたが、本開示に係る技術は、これに限定を受けるものではない。熱硬化性の樹脂材料を対象としてもよい。熱硬化性の樹脂材料を射出する場合には、当該樹脂材料を硬化させる際に高周波交流電圧を印加すればよい。
【００５７】
また、上記実施形態では、誘電加熱によりキャビティ１０a内を流動する樹脂材料７０の流動性を保持することとしたため、成形型１０に対して１つの射出ユニット２０を接続することとしたが、本開示に係る技術は、これに限定を受けるものではない。キャビティ内を流動する樹脂材料の温度をキャビティ内全域で略同一とすることができるので、２つ以上の射出ユニットを接続することとしても、ヘアライン状の不良が生じ難く、優れた外観品質とすることができる。
【００５８】
また、上記実施形態では、１つの固定型１２と１つの可動型１１との組み合わせを以って成形型１０を構成することとしたが、本開示に係る技術は、これに限定を受けるものではない。例えば、３つ以上の型の組み合わせを以って構成された成形型を採用することもできる。
【００５９】
また、上記実施形態では、成形型１０におけるキャビティ１０aの流動起点部１０ｂから流動終点部１０ｃまでの間で一対の電極１１２，１２２を設けることとしたが、本開示に係る技術は、これに限定を受けるものではない。例えば、キャビティにおける樹脂材料の流動方向において、互いに間隔を空けた状態で複数の電極対を設けることとしてもよい。
【００６０】
また、キャビティの形状などから空気放電が発生しやすいと考えられる箇所には、電極対を設けないこととしてもよい。
【００６１】
［本開示のまとめ］
本開示の一態様に係る射出成形装置は、誘電発熱材が混入されてなる樹脂材料を、温調により流動性をもたせて射出する射出機と、前記樹脂材料の流動の経路であるキャビティを有するとともに、それぞれが前記キャビティに面し、前記流動の方向と交差する方向に前記樹脂材料を挟む状態で設けられた一対の電極を有する成形型と、前記一対の電極の間に高周波交流電圧を印加する高周波発振装置と、を備える。
【００６２】
上記態様に係る射出成形装置では、射出する樹脂材料として誘電発熱材が混入された樹脂材料を用いるとともに、キャビティに面する一対の電極を設けて、当該一対の電極の間に高周波交流電圧を印加する構成となっている。よって、上記態様に係る射出成形装置では、射出機から射出されてキャビティ内を流動する樹脂材料に対して高周波交流電圧の印加制御することができ、該樹脂材料は、高周波交流電圧の印加制御によって高い流動性が確保される。
【００６３】
ここで、射出する樹脂材料として、基材が熱可塑性の樹脂材料を採用する場合には、キャビティを流動する樹脂材料に対して高周波交流電圧を印加することで誘電発熱材が発熱し、これにより樹脂材料の流動性を確保することができる。
【００６４】
一方、射出する樹脂材料として、基材が熱硬化性の樹脂材料を採用する場合には、キャビティに対して樹脂材料が充填された状態で高周波交流電圧を印加することで、誘電発熱材の発熱を以って樹脂材料を硬化させることができる。
【００６５】
また、上記態様に係る射出成形装置では、成形型全体を加熱するのではなく、キャビティ内を流動する樹脂材料の温度制御を行って流動性を確保するので、エネルギロスの低減を図ることができるとともに、樹脂材料がキャビティ内に充填された後に高周波交流電圧の印加制御だけで樹脂材料を固化させることができるので、成形型全体の温度制御をする場合に比べてタクトタイムの短縮を図ることもできる。
【００６６】
従って、上記態様に係る射出成形装置では、成形型内における樹脂材料の高い流動性を確保することで高品質な樹脂製品を製造することができるとともに、生産コストの低減を図ることができる。
【００６７】
本開示の別態様に係る射出成形装置は、上記態様であって、前記成形型は、それぞれが型本体を有し、且つ、互いに嵌合する固定型および可動型を有し、前記一対の電極のうちの一方の電極は、前記固定型の前記型本体に対して絶縁体を挟んで取り付けられ、前記一対の電極のうちの他方の電極は、前記可動型の前記型本体に対して絶縁体を挟んで取り付けられている。
【００６８】
上記態様に係る射出成形装置では、固定型および可動型の両型において、電極が型本体に対して絶縁体を挟んだ状態で取り付けられているので、高周波交流電圧の印加時において型外部への電磁波の漏洩を抑制することができる。
【００６９】
本開示の別態様に係る射出成形装置は、上記態様であって、前記一対の電極の少なくとも一方には、冷却媒体が流通する冷却通路を有し、前記冷却通路に対して冷却媒体を供給する冷却媒体供給装置を更に備える。
【００７０】
上記態様に係る射出成形装置では、電極に冷却通路を設けているので、誘電発熱による樹脂材料の熱が電極に伝達されたとしても、冷却媒体の供給により電極の冷却が可能である。このため、上記態様に係る射出成形装置では、キャビティ内を流動する樹脂材料の温度調整をより正確に行うことができるとともに、樹脂材料を固化させ成形型から取り出す際に冷却媒体の供給により樹脂材料および成形型の冷却が可能であり、タクトタイムの短縮が可能である。よって、上記態様に係る射出成形装置では、より高い生産性を実現するのに優位である。
【００７１】
本開示の別態様に係る射出成形装置は、上記態様であって、前記一対の電極は、前記キャビティに対して前記流動の方向における上流端から下流端まで設けられている。
【００７２】
上記態様に係る射出成形装置では、一対の電極がキャビティにおける樹脂材料の流動方向における上流端から下流端まで設けられた構成としているので、キャビティ内の全域に亘って樹脂材料の温度を制御することができる。
【００７３】
本開示の別態様に係る射出成形装置は、上記態様であって、前記射出機からの前記樹脂材料の射出と、前記高周波発振装置による前記高周波交流電圧の印加と、を制御する制御部を更に備え、前記制御部は、前記キャビティの全体に前記樹脂材料が充填された後、所定時間だけ前記キャビティ内に射出圧力を加え続けるように前記射出機を制御する。
【００７４】
上記態様に係る射出成形装置では、キャビティ内に樹脂材料が充填された後に、保圧期間（上記所定時間）を設けているので、樹脂材料が固化するまでの間、キャビティの全域における樹脂材料の圧力を均一化することができる。よって、上記態様に係る射出成形装置では、固化時における樹脂材料の収縮をキャビティ全域で均一化することができ、高品質な樹脂製品を製造するのに優位である。
【００７５】
本開示の一態様に係る射出成形方法は、誘電発熱材が混入されてなる樹脂材料を、温調により流動性を持たせて射出する射出ステップと、前記射出ステップで射出された前記樹脂材料を、成形型内に形成されたキャビティ内を流動させる流動ステップと、前記キャビティ内を流動する前記樹脂材料に対して、高周波交流電圧を印加する高周波交流電圧印加ステップと、を備える。
【００７６】
上記態様に係る射出成形方法では、射出する樹脂材料として誘電発熱材が混入された樹脂材料を用いるとともに、高周波交流電圧印加ステップにおいて、キャビティ内を流動する樹脂材料に対して高周波交流電圧を印加可能な構成となっている。よって、上記態様に係る射出成形方法では、射出機から射出されてキャビティ内を流動する樹脂材料に対して高周波交流電圧の印加制御を実行することにより、キャビティ内を流動する樹脂材料は、高周波交流電圧の印加制御によって高い流動性が確保される。
【００７７】
ここで、上記同様に、射出する樹脂材料として、基材が熱可塑性の樹脂材料を採用する場合には、キャビティを流動する樹脂材料に対して高周波交流電圧を印加することで誘電発熱材が発熱し、これにより樹脂材料の流動性を確保することができる。
【００７８】
一方、射出する樹脂材料として、基材が熱硬化性の樹脂材料を採用する場合には、キャビティに対して樹脂材料が充填された状態で高周波交流電圧を印加することで、誘電発熱材の発熱を以って樹脂材料を硬化させることができる。
【００７９】
また、上記態様に係る射出成形方法では、成形型全体を加熱するのではなく、高周波交流電圧印加ステップにおいて、キャビティ内を流動する樹脂材料の温度制御を行って当該樹脂材料の流動性を確保することができるので、エネルギロスの低減を図ることができるとともに、樹脂材料がキャビティ内に充填された後に高周波交流電圧の印加制御だけで樹脂材料を固化させることができるので、成形型全体の温度制御をする場合に比べてタクトタイムの短縮を図ることもできる。
【００８０】
従って、上記態様に係る射出成形方法では、成形型内における樹脂材料の高い流動性を確保することで高品質な樹脂製品を製造することができるとともに、生産コストの低減を図ることができる。
【００８１】
本開示の別態様に係る射出成形方法は、上記態様であって、前記高周波交流電圧印加ステップでは、前記キャビティにおける前記流動の方向における上流端から下流端まで流動する前記樹脂材料に対して、前記高周波交流電圧を印加する。
【００８２】
上記態様に係る射出成形方法では、一対の電極がキャビティにおける樹脂材料の流動方向における上流端から下流端まで設けられた構成としているので、高周波交流電圧印加ステップにおいて、キャビティ内の全域に亘って樹脂材料の温度を制御することができる。
【００８３】
本開示の別態様に係る射出成形方法は、上記態様であって、前記射出ステップで前記キャビティの全体に前記樹脂材料が充填された後、所定時間だけ前記キャビティ内に射出圧力を加え続ける保圧ステップを、更に備える。
【００８４】
上記態様に係る射出成形方法では、保圧ステップを設けているので、キャビティ内に樹脂材料が充填されて後、樹脂材料が固化するまでの間、キャビティの全域における樹脂材料の圧力を均一化することができる。よって、上記態様に係る射出成形方法では、固化時における樹脂材料の収縮をキャビティ全域で均一化することができ、高品質な樹脂製品を製造するのに優位である。
【００８５】
本開示の別態様に係る射出成形方法は、上記態様であって、前記保圧ステップの実行後に、前記キャビティに充填された前記樹脂材料を、前記成形型内に設けられた冷却通路への冷却媒体の供給により冷却する冷却ステップを、更に備える。
【００８６】
上記態様に係る射出成形方法では、冷却ステップを設けているので、誘電発熱による樹脂材料の熱が電極に伝達されたとしても、冷却ステップの実行により電極の冷却が可能である。このため、上記態様に係る射出成形方法では、キャビティ内を流動する樹脂材料の温度調整をより正確に行うことができるとともに、樹脂材料を固化させ成形型から取り出す際に冷却媒体の供給により樹脂材料および成形型の冷却が可能であり、タクトタイムの短縮が可能である。よって、上記態様に係る射出成形方法では、より高い生産性を実現するのに優位である。
【００８７】
本開示の一態様に係る射出成形用樹脂材料は、上記の何れかの態様に係る射出成形装置に投入する射出成形用樹脂材料において、ポリオレフィン系樹脂、または、ポリアミド系樹脂からなる基材と、前記高周波交流電圧の印加により陽イオンの移動が可能な誘電発熱材と、を有する。
【００８８】
上記態様に係る樹脂材料では、高周波交流電圧の印加により樹脂材料を伝播される電磁波により陽イオンが移動（運動）する誘電発熱材を含んでいる。このため、上記態様に係る樹脂材料を用いて射出成形を行う場合に、キャビティ内に充填された樹脂材料に対して高周波交流電圧が印加されることで誘電発熱材の陽イオンが移動（運動）する。これより、上記態様に係る樹脂材料では、誘電発熱体が発した熱により基材の流動性が制御され、高品質な樹脂製品を製造するのに優位である。
【００８９】
また、上記態様に係る樹脂材料では、上記のような構成の誘電発熱材を含むことにより、成形型全体を加熱しなくても、高周波交流電圧を樹脂材料に対して印加するだけで樹脂材料の流動性を制御することが可能である。よって、上記態様に係る樹脂材料は、射出成形に際して、優れた熱効率での成形を可能とし、タクトタイムの短縮も可能とすることができる。
【００９０】
本開示の別態様に係る射出成形用樹脂材料では、前記基材の具体例として、ＨＩＰＳ、ＰＰ、ＬＤＰＥ、ＨＤＰＥ、ｍ−ＰＰＥ、およびＰＭＭＡの中から選択されるポリオレフィン系樹脂を採用し、前記誘電発熱材の具体例として、互いに重合したポリオレフィン系モノマーとポリエーテルモノマーとを有する樹脂材料であり、前記ポリエーテル部分に陽イオンを保持してなる樹脂材料を採用することができる。
【００９１】
また、本開示の別態様に係る射出成形用樹脂材料では、前記基材の具体例として、ＡＢＳ、ＰＣ／ＡＢＳ、ＰＣ、ＰＯＭ、ＰＡ６、ＰＡ１２、およびＰＡ６６の中から選択されるポリアミド系樹脂を採用し、前記誘電発熱材の具体例として、互いに重合したポリアミド系モノマーとポリエーテルモノマーとを有する樹脂材料であり、前記ポリエーテル部分に陽イオンを保持してなる樹脂材料を採用することができる。
【００９２】
以上のように、本開示の技術では、成形型内における樹脂材料の高い流動性を確保することで高品質な樹脂製品を製造することができるとともに、生産コストの低減を図ることができる。
【図１】
2019187071.tif 000003
【図２】
2019187071.tif 000004
【図３】
2019187071.tif 000005
【図４】
2019187071.tif 000006
【図５】
2019187071.tif 000007
【図６】
2019187071.tif 000008
【図７】
2019187071.tif 000009
【図８】
2019187071.tif 000010
【図９Ａ】
2019187071.tif 000011
【図９Ｂ】
2019187071.tif 000012
【国際調査報告】
2019187071.tif 000013
2019187071.tif 000014